(57)【要約】【課題】  フォーカス引き込み制御装置及びフォーカス引き込み制御方法を提供する。【解決手段】  ビームを出射する光源、ビームを情報記録面にフォーカスさせるための対物レンズ、対物レンズを光軸方向に移動させるフォーカスアクチュエータ、及び情報記録媒体から反射されるビームを検出して電気的信号に変換する光検出器を備える光ピックアップと、対物レンズを移動させて情報記録媒体を横切ってビームを移動させながらフォーカスサーチを行う時、予め評価した情報記録媒体の面振動量に関するデータを参照してフォーカスアクチュエーターを駆動することで、対物レンズの接近速度を制御する制御部とを備えるフォーカス引き込み制御装置である。これにより、面振動の大きいディスクについてもフォーカス引き込みを効果的に行うことが可能になる。【選択図】      図３
2007115393.tif 000002
【特許請求の範囲】
【請求項１】
情報記録媒体の情報記録面にビームをフォーカスさせるためのフォーカス引き込み制御装置において、
ビームを出射する光源、前記ビームを前記情報記録面にフォーカスさせるための対物レンズ、前記対物レンズを光軸方向に移動させるフォーカスアクチュエータ、及び前記情報記録媒体から反射されるビームを検出して電気的信号に変換する光検出器を  える光ピックアップと、
前記対物レンズを移動させ、前記情報記録媒体を横切ってビームを移動させながらフォーカスサーチを行う時に得られた、情報記録媒体の面振動量を含む面振動データを参照して、前記フォーカスアクチュエーターを駆動することで、前記対物レンズの接近速度を制御する制御部とを備えることを特徴とするフォーカス引き込み制御装置。
【請求項２】
前記制御部は、最初情報記録媒体のローディング時に、情報記録媒体の所定の位置でスピンドル１回転をＮ等分してフォーカスアクチュエータドライブ信号を保存することによって、前記面振動データを得ることを特徴とする請求項１に記載のフォーカス引き込み制御装置。
【請求項３】
前記所定の位置は、前記情報記録媒体の外周部分であることを特徴とする請求項２に記載のフォーカス引き込み制御装置。
【請求項４】
前記制御部は、前記情報記録媒体の最終倍速より遅いスピンドル速度状態で前記面振動データを評価することを特徴とする請求項１に記載のフォーカス引き込み制御装置。
【請求項５】
前記制御部は、
前記フォーカスアクチュエータを駆動するための信号に前記面振動データを加えることで、前記フォーカスアクチュエータを駆動するための信号を生成することを特徴とする請求項１に記載のフォーカス引き込み制御装置。
【請求項６】
前記制御部は、
前記フォーカスアクチュエータを駆動するための信号の生成時、フォーカス引き込み中のピックアップの位置によって前記得られた面振動量に加重値を乗じることで、前記フォーカスアクチュエータを駆動するための信号を生成することを特徴とする請求項５に記載のフォーカス引き込み制御装置。
【請求項７】
情報記録媒体の情報記録面にビームをフォーカスさせるためのフォーカス引き込み制御方法において、
前記情報記録媒体の面振動量を検出する段階と、
前記対物レンズを移動させ、前記情報記録媒体を横切ってビームを移動させながらフォーカスサーチを行う時、前記行われた面振動データを参照して、前記フォーカスアクチュエーターを駆動することで、前記対物レンズの接近速度を制御する段階とを含むことを特徴とするフォーカス引き込み制御方法。
【請求項８】
前記検出段階は、
前記最初情報記録媒体のローディング時、情報記録媒体の所定の位置でスピンドル１回転をＮ等分してフォーカスアクチュエータドライブ信号を保存することによって、前記面振動データを得る段階を含むことを特徴とする請求項７に記載のフォーカス引き込み制御方法。
【請求項９】
前記所定の位置は、前記情報記録媒体の外周部分であることを特徴とする請求項８に記載のフォーカス引き込み制御方法。
【請求項１０】
前記検出段階は、
前記情報記録媒体の最終倍速より遅いスピンドル速度状態で前記面振動量を得る段階を含むことを特徴とする請求項７に記載のフォーカス引き込み制御方法。
【請求項１１】
前記制御段階は、
前記フォーカスアクチュエータを駆動するための信号に前記面振動データを加えることで、前記フォーカスアクチュエータを駆動するための信号を生成する段階を含むことを特徴とする請求項７に記載のフォーカス引き込み制御方法。
【請求項１２】
前記フォーカスアクチュエータ駆動信号の生成段階は、
フォーカス引き込み動作時、ピックアップの位置によって前記面振動データに加重値をさらに乗じることを特徴とする請求項１１に記載のフォーカス引き込み制御方法。
【請求項１３】
前記制御部は、前記情報記録媒体に最初にローディングされて、フォーカスサーチを行う前に前記面振動データを得ることを特徴とする請求項２に記載のフォーカス引き込み制御装置。
【請求項１４】
メモリをさらに備え、前記制御部は、前記メモリから前記面振動データを得ることを特徴とする請求項１に記載のフォーカス引き込み制御装置。
【請求項１５】
前記加重値はＫ＝ａ／ｂであり、ａは、フォーカスが引き込まれるときの前記光ピックアップ位置の半径であり、ｂは、前記面振動評価の間のピックアップ部位置の半径であることを特徴とする請求項６に記載のフォーカス引き込み制御方法。
【請求項１６】
前記情報記録媒体の面振動データを得る段階は、前記情報記録媒体が最初にローディングされて、フォーカスサーチを行う前に行われることを特徴とする請求項８に記載のフォーカス引き込み制御方法。
【請求項１７】
前記面振動データは、メモリから得られることを特徴とする請求項７に記載のフォーカス引き込み制御方法。
【請求項１８】
前記加重値はＫ＝ａ／ｂであり、ａは、フォーカスが引き込まれるときの前記光ピックアップ位置の半径であり、ｂは、前記面振動評価の間のピックアップ部位置の半径であることを特徴とする請求項１２に記載のフォーカス引き込み制御方法。
【請求項１９】
記録及び／または再生装置のフォーカス制御装置において、
ディスクに光をフォーカスする対物レンズと、
前記対物レンズのフォーカスを制御するフォーカスアクチュエータと、
前記フォーカスが、保存された面振動情報を含むフォーカスアクチュエータドライブ信号を利用して前記ディスクの面振動に合うように制御する制御部とを備えることを特徴とするフォーカス制御装置。
【請求項２０】
前記面振動情報は、前記フォーカスアクチュエータドライブ信号の以前に生成された以前のフォーカスアクチュエータドライブ信号であることを特徴とする請求項１９に記載のフォーカス制御装置。
【請求項２１】
記録及び／または再生装置の対物レンズのフォーカスを制御する方法において、
ディスクの面振動情報を得る段階と、
第１フォーカスアクチュエータドライブ信号を生成する段階と、
前記第１フォーカスアクチュエータドライブ信号に前記得られた面振動情報を加えることで、第２フォーカスアクチュエータドライブ信号を生成する段階と、
前記第２フォーカスアクチュエータドライブ信号を利用して、前記対物レンズのフォーカスが前記ディスクの面振動に合うように制御する段階とを含むことを特徴とするフォーカス制御方法。
【請求項２２】
前記面振動情報は、前記第１フォーカスアクチュエータドライブ信号前に生成されたフォーカスアクチュエータドライブ信号であることを特徴とする請求項２１に記載のフォーカス制御方法。
【請求項２３】
前記制御部は、フォーカスサーチが行われる時、前記フォーカスアクチュエータドライブ信号を利用することを特徴とする請求項１９に記載のフォーカス制御装置。
【請求項２４】
前記面振動情報は、前記記録及び／または再生装置の低倍速で得られ、前記制御部は、前記面振動情報を含む前記フォーカスアクチュエータドライブ信号を前記記録及び／または再生装置の高倍速で利用することを特徴とする請求項１９に記載のフォーカス制御装置。
【請求項２５】
前記対物レンズのフォーカス制御段階は、
フォーカスサーチが行われる時、前記第２フォーカスアクチュエータドライブ信号を利用して前記対物レンズのフォーカスを制御する段階を含むことを特徴とする請求項２１に記載のフォーカス制御方法。
【請求項２６】
前記面振動情報は、前記記録及び／または再生装置の低倍速で得られ、前記対物レンズのフォーカス制御段階は、前記記録及び／または再生装置の高倍速で前記第２フォーカスアクチュエータドライブ信号を利用して前記対物レンズのフォーカスを制御する段階を含むことを特徴とする請求項２１に記載のフォーカス制御方法。
【発明の詳細な説明】
【技術分野】
【０００１】
本発明は、フォーカス引き込み（フォーカス  プル−イン）制御装置及びフォーカス引き込み制御方法に関する。
【背景技術】
【０００２】
光記録再生装置は、光ディスクに／からデータを記録／再生する装置である。このために必要な装置のうち一つが光ピックアップである。光ピックアップは、光ディスクの表面にレーザビームを照射してデータを記録したり、光ディスクの表面で反射されるレーザビームを受光して再生データを読み出す。このために、光ピックアップは、レーザビームの焦点が光ディスクのデータ記録層に正確に合う必要があり、これをフォーカスサーボという。
【０００３】
一方、光ピックアップは、光ディスクの面振動を考慮してレーザビームを光ディスクのデータ記録面にフォーカスさせる。面振動は、光ディスクの回転時に発生する光ディスクの上下動であって、主に光ディスクの反りによって発生する。したがって、光ピックアップは、光ディスクの面振動を考慮して対物レンズを上下に動かしながらフォーカス引き込み時点を判断した後、引き込み時点であると判断されれば、レーザビームを光ディスクのデータ記録面に引き込む。
【０００４】
しかし、光ディスクの面振動速度が対物レンズの上下動き速度と等しいか大きい場合、レーザビームのフォーカス引き込みは失敗する。このような場合、従来の光記録再生装置は、光ディスクの面振動速度、すなわち、光ディスクの回転速度を低下させるためにスピンドルモータの速度を減速させる。スピンドルモータは、光ディスクを回転させるモータである。そして、回転速度が低下した光ディスクに対してレーザビームのフォーカス引き込みを再び試みる。
【０００５】
このとき、フォーカス引き込みが成功すれば、光記録再生装置は、スピンドルモータの速度を加速させた後、光ディスクにデータを記録するか、または記録されたデータを再生する動作を行う。しかし、フォーカス引き込みの再試み後にもフォーカス引き込みが失敗すれば、従来の光記録再生装置は、前記の動作を繰り返してフォーカス引き込みを再び試みる。
【０００６】
図１は、光ディスクドライブのフォーカスサーボ引き込み過程を説明するための主要信号の波形図を示す。
【０００７】
一般的に光ディスクドライブは、動作初期にローディングされたディスクの種類を判別する過程(１)、フォーカス引き込み準備過程(２)、フォーカスサーボＯＮ開始過程(３)を順次に実行する。
【０００８】
ＦＥは、フォーカスエラー信号を示し、ＦＯＤは、フォーカスアクチュエータ駆動信号を示し、ＲＦＢＳは、ＲＦ  ＳＵＭ信号を示す。
【０００９】
図１において、フォーカス引き込み準備及びフォーカスサーボＯＮ開始過程は、ピックアップのレンズを上側に、設計で許す最上位置まで上げた後に(１)、下側に下げ(２)、フォーカスエラー信号ＦＥが０である地点に到達すれば(３)、フォーカスサーボをオンさせる過程を意味する。
【００１０】
図２は、図１のフォーカスサーボをオンさせるフォーカス引き込み時点のフォーカスエラー信号の波形を拡大して示した図である。
【００１１】
正常なディスクにおいて、フォーカスエラー信号ＦＥのＳ字カーブは、ピックアップのレンズを上側に上げる過程で１回生成され、下側に下げる過程で再び１回生成される。フォーカスエラー信号が所定値に収束される時点でフォーカスをオンさせる。
【００１２】
従来の光記録再生装置は、フォーカス引き込みが成功するまでにスピンドル速度を減速させた状態でフォーカス引き込みを数回試み、これにより、フォーカス引き込みにかかる時間は次第に延長する。したがって、フォーカス引き込みの失敗によってデータの記録／再生を行うのに多くの時間が無駄に浪費される。
【特許文献１】日本特許公開第２００４−２９６０３２号公報
【特許文献２】日本特許公開第２０００−２７６７５３号公報
【特許文献３】韓国特許公開第２００３−０２５７９１号公報
【発明の開示】
【発明が解決しようとする課題】
【００１３】
本発明は、前記問題点を解決して、面振動の大きいディスクでフォーカス引き込みを効果的に行うことができるフォーカス引き込み制御装置及びフォーカス引き込み制御方法を提供することを目的とする。
【課題を解決するための手段】
【００１４】
前記課題を解決するための本発明の一つの特徴は、情報記録媒体の情報記録面にビームをフォーカスさせるためのフォーカス引き込み制御装置において、ビームを出射する光源、前記ビームを前記情報記録面にフォーカスさせるための対物レンズ、前記対物レンズを光軸方向に移動させるフォーカスアクチュエータ、及び前記情報記録媒体から反射されるビームを検出して電気的信号に変換する光検出器を備える光ピックアップと、前記対物レンズを移動させ、前記情報記録媒体を横切ってビームを移動させながらフォーカスサーチを行う時に得られた、情報記録媒体の面振動量を含む面振動データを参照して、前記フォーカスアクチュエーターを駆動することで、前記対物レンズの接近速度を制御する制御部とを備える。
【００１５】
前記制御部は、最初情報記録媒体のローディング時に、情報記録媒体の所定の位置でスピンドル１回転をＮ等分してフォーカスアクチュエータドライブ信号を保存することによって、前記面振動データを得ることが望ましい。
【００１６】
前記所定の位置は、前記情報記録媒体の外周部分であることが望ましい。
【００１７】
前記制御部は、前記情報記録媒体の最終倍速より遅いスピンドル速度状態で前記面振動データを評価することが望ましい。
【００１８】
前記制御部は、前記フォーカスアクチュエータを駆動するための信号に前記面振動データを加えることで、前記フォーカスアクチュエータを駆動するための信号を生成することが望ましい。
【００１９】
前記制御部は、前記フォーカスアクチュエータを駆動するための信号の生成時、フォーカス引き込み中のピックアップの位置によって前記得られた面振動量に加重値を乗じることで、前記フォーカスアクチュエータを駆動するための信号を生成することが望ましい。
【００２０】
本発明の他の特徴は、情報記録媒体の情報記録面にビームをフォーカスさせるためのフォーカス引き込み制御方法において、前記情報記録媒体の面振動量を検出する段階と、前記対物レンズを移動させて前記情報記録媒体を横切ってビームを移動させながらフォーカスサーチを行う時、前記行われた面振動データを参照して、前記フォーカスアクチュエーターを駆動することで、前記対物レンズの接近速度を制御する段階とを含む。
【００２１】
前記検出段階は、前記最初情報記録媒体のローディング時、情報記録媒体の所定の位置でスピンドル１回転をＮ等分してフォーカスアクチュエータドライブ信号を保存することによって、前記面振動データを得る段階を含むことが望ましい。
【００２２】
前記所定の位置は、前記情報記録媒体の外周部分であることが望ましい。
【００２３】
前記検出段階は、前記情報記録媒体の最終倍速より遅いスピンドル速度状態で前記面振動量を得る段階を含むことが望ましい。
【００２４】
前記制御段階は、前記フォーカスアクチュエータを駆動するための信号に前記面振動データを加えることで、前記フォーカスアクチュエータを駆動するための信号を生成する段階を含むことが望ましい。
【００２５】
前記フォーカスアクチュエータ駆動信号の生成段階は、フォーカス引き込み動作時、ピックアップの位置によって前記面振動データに加重値をさらに乗じることが望ましい。
【発明の効果】
【００２６】
本発明によれば、予め得られたディスクの面振動量の情報をフォーカス引き込みの再行時に利用することによって、面振動量の大きいディスクについてもフォーカス引き込みの失敗を減少させつつ効果的に行うことができる。
【発明を実施するための最良の形態】
【００２７】
以下、添付された図面を参照して本発明を詳細に説明する。
【００２８】
本発明は、ディスク面振動をスピンドル回転と同期させて評価し、その後、フォーカス引き込み動作で評価した情報を利用することによって、面振動の大きいディスクに対してフォーカス引き込み成功率を高めることを目的とする。本発明の多様な側面において、フォーカス引き込みは、レーザビームが光ディスクの振動表面にフォーカスできるように、光ディスクの上下移動に合わせるための対物レンズの制御を言う。マッチング移動のために、フォーカス引き込みを開始するタイミングをできる限り正確に合わせる必要がある。
【００２９】
図３は、本発明によるフォーカス引き込み装置の概略図である。図３を参照するに、本発明によるフォーカス引き込み装置１００は、光ピックアップ１１０、フォーカスエラー生成部１２０、フォーカスサーボ制御部１３０、主制御部１４０、保存部１５０、及びフォーカスドライブ１６０を備える。フォーカス引き込み装置１００は、他の構成要素をさらに備えてもよく、ある構成要素は結合されてもよい。
【００３０】
フォーカス引き込み装置１００は、レーザビームを光ディスク１００ａの表面に正確に引き込む装置であって、光記録再生装置に具備可能である。光記録再生装置は、光ディスクに／からデータを記録／再生する装置であって、例えば、ＤＶＤＲ、ＰＣなどがある。また、光ディスクは、ＣＤ、ＤＶＤなど、多様な種類に区分される。光記録再生装置は、いかなる種類のディスクから／にもデータを再生／記録することができるいかなる形態の装置でも可能であり、そのような装置は、もちろんコンパクトディスクプレーヤも含む。
【００３１】
光ピックアップ１１０は、光ディスク１００ａの記録面に記録されたデータを読み出して電気的信号に変換する。このために、光ピックアップ１１０は、光源１１２、ビームスプリッタ１１４、対物レンズ１１６、フォーカスアクチュエータ１１７、及び光検出器１１８を有する。
【００３２】
光源１１２は、光ディスク１００ａの種類によって異なる波長のレーザビームを出射する。例えば、光ディスク１００ａとしてＤＶＤが装着された場合、光源１１２は、約６５０ｎｍの波長を有するレーザビームを出射する。
【００３３】
ビームスプリッタ１１４は、光源１１２から出射されるレーザビームを所定の割合で反射または透過させる。
【００３４】
対物レンズ１１６は、ビームスプリッタ１１４から入射されるレーザビームを光ディスク１００ａの記録面に集束させる。
【００３５】
フォーカスアクチュエータ１１７は、光ディスク１００ａに入射されるレーザビームの焦点が光ディスク１００ａの記録面に正確に集束されるように、対物レンズ１１６を上下駆動する。すなわち、フォーカスアクチュエータ１１７は、フォーカスサーボをオンさせるために、対物レンズ１１６を上下駆動することで光ディスク１００ａと対物レンズ１１６との距離を調節する。ここで、フォーカスサーボがオンになったことは、光ピックアップ１１０がフォーカス引き込みされたことを意味する。
【００３６】
このように、フォーカスサーボを行うことは、光ディスク１００ａに記録されたデータを再生するか、またはデータを記録するためには、レーザビームの焦点が光ディスク１００ａの記録面に正確に合わなければならないためである。
【００３７】
光検出器１１８は、光ディスク１００ａの記録面で反射されたレーザビームを検出して電気的信号に変換する。通常光検出器１１８として、フォトダイオードＩＣを使用する。しかし、光を電気的信号に変換できるものであれば、いかなる装置を利用してもよい。
【００３８】
フォーカスエラー生成部１２０は、光検出器１１８から出力された電気的信号を利用して、フォーカスサーボ、すなわち、フォーカス引き込みのためのフォーカスエラー信号を生成する。生成されたフォーカスエラー信号は、フォーカスサーボ制御部１３０に提供される。
【００３９】
フォーカスサーボ制御部１３０は、フォーカスエラー生成部１２０からフォーカスエラー信号を入力されて、デジタル変換などの信号処理を行う。そして、フォーカスサーボ制御部１３０は、信号処理されたフォーカスエラー信号に基づいて、フォーカスアクチュエータ１１７を駆動するための駆動制御信号を出力する。すなわち、フォーカスサーボ制御部１３０は、光ピックアップ１１０がフォーカス引き込まれるように、対物レンズ１１６を上下移動させるための駆動制御信号をフォーカスドライブ１６０に出力する。特に、本発明によって、ディスクの面振動に対する面振動情報を生成するために、駆動制御信号（ＦＯＤ）を主制御部１４０に伝送する。その後、フォーカス再引き込み時に主制御部１４０からディスク面振動情報を受信すれば、これを現在フォーカス再引き込み時の駆動制御信号に加えてフォーカスアクチュエータ１１７に提供する。
【００４０】
フォーカスドライブ１６０は、フォーカスサーボ制御部１３０から出力される駆動制御信号に対応する電流をフォーカスアクチュエータ１１７に供給することによって、フォーカスアクチュエータ１１７を駆動する。したがって、フォーカスアクチュエータ１１７は、フォーカスドライブ１６０から供給された電流に比例する位置ほど対物レンズ１１６を上向きまたは下方調整し、これにより、光ピックアップ１１０のフォーカス引き込みが行われる。本発明の場合、フォーカスサーボ制御部１３０から駆動減速制御信号が受信されれば、フォーカスドライブ１６０は、駆動減速制御信号に対応する減速された駆動速度でフォーカスアクチュエータ１１７を所定時間駆動する。
【００４１】
主制御部１４０は、保存部１５０に保存された各種制御プログラムを利用してフォーカス引き込み装置１００の全般的な動作を制御する。また、本発明によるフォーカス引き込み装置１００が光記録再生装置に備えられた場合、主制御部１４０は、光記録再生装置の全般的な動作を制御することができる。
【００４２】
特に、本発明による主制御部１４０は、ディスク１００ａに対して予め面振動評価を行い、行われた面振動情報を保存部１５０に保存して置き、次のフォーカス引き込み時に、このように保存部１５０に保存した面振動情報を利用してフォーカス引き込み動作を行うように、フォーカスサーボ制御部１３０を制御する。フォーカスサーボ制御部１３０は、最初または以前のディスクローディング時、フォーカスアクチュエータドライブ信号を主制御部１４０にも伝送し、主制御部１４０は、該フォーカスアクチュエータドライブ信号、すなわち、面振動情報を保存部１５０に保存してから次のフォーカス再引き込みのとき、このように保存部１５０に保存された面振動情報をフォーカスサーボ制御部１３０に提供し、フォーカスサーボ制御部１３０は、該面振動情報をフォーカスアクチュエータドライブ信号に加えてフォーカスアクチュエータドライブ信号を生成し、生成されたフォーカスアクチュエータドライブ信号をフォーカスアクチュエータ１１７に提供する。
【００４３】
以下、かかるフォーカス引き込み装置１００において面振動評価を行い、評価された面振動情報を利用してフォーカス引き込みを行う動作を説明する。
【００４４】
ディスク１００ａを最初にローディングするとき、色々な自動調整を実施するが、この際、フォーカス引き込み装置１００は、ディスク１００ａの最外周でディスクの面振動評価を行う。
【００４５】
多くの場合、自動調整動作中にチルト補正などによって光ピックアップ１１０が外周に移動する場合が発生するので、この時に評価を行う。光ピックアップ１１０が外周に移動する場合がなければ、本評価のために外周移動過程が追加されてもよい。しかし、これは、面振動が相対的に大きいディスクの外周で面振動評価を行うことが望ましいということを示し、本発明による面振動評価が必ずしもディスクの外周で行われなければならないと限定するものではない。本発明による面振動評価は、ディスクのいずれの領域で行われても良いということは言うまでもない。また、高倍速ディスクシステムの場合には、最初に低倍速に駆動した後に高倍速に変動する過程を有するならば、最初低倍速状態のときに面振動評価を行うことが望ましい。このような倍速は、例えば、基本の２Ｘ、４Ｘなどでありうる。しかし、本発明がこれに限定されるものではなく、評価はいかなる速度でも遂行可能である。
【００４６】
ディスク１００ａの外周でトラックオンされた状態でスピンドル１回転をＮ等分して、各位置に対するフォーカスアクチュエータドライブ信号を適宜に低域通過フィルタさせた面振動データを保存部１５０に保存する。例えば、このようなフォーカスアクチュエータドライブ信号は、スピンドルモータのＦＧ(Frequency  Generator)センサー出力に同期させて保存すればよい。
【００４７】
このように保存部１５０に保存される面振動データの一例が、図４に示されている。
【００４８】
図４を参照するに、ＦＧ信号に同期してフォーカスアクチュエータドライブ(ＦＯＤ)信号がディスクの１回転分量だけ保存されている。このように、ＦＯＤ信号による正弦波信号を以後のフォーカス再引き込み時にフォーカスアクチュエータドライブ信号に付加する。
【００４９】
フォーカス引き込み装置１００は、以後ディスク記録／再生動作中にフォーカスがオフされて再び引き込む動作を行う時、保存部１５０に保存された面振動データを利用して引き込み時点を探す。
【００５０】
すなわち、フォーカスアクチュエータ１１７を一定の速度で上下移動させる動作を行う時、主制御部１４０は、既存のアクチュエータドライブ命令に現在スピンドル位置に該当する、保存部１５０に保存された面振動データを加えて出力するように、フォーカスサーボ制御部１３０を制御する。それにより、フォーカスサーボ制御部１３０は、アクチュエータドライブ命令に面振動データを加えて出力するように、フォーカスドライブ１６０を制御する。
【００５１】
ピックアップの位置が内周にある時と外周にある時との面振動量が異なるので、ピックアップの位置を考慮して、加えられる面振動データ値に加重値Ｋを乗じて加える。本発明の多様な側面において、光ピックアップ１１０の位置は、ディスク１００ａの内周及び／または外周、またはいかなる位置でも可能である。加重値を乗じる方法は色々あるが、一例として次のような加重値を利用できる。
【００５２】
加重値Ｋ＝ａ／ｂ
(ここで、ａは、フォーカス引き込み時のピックアップの位置(半径)、ｂは、面振動評価時のピックアップの位置(半径))
図５は、従来の方法によるＦＯＤ信号と本発明によるＦＯＤ信号とを比較した図である。図５を参照するに、従来の方法におけるフォーカスアクチュエータドライブ信号は、フォーカスアクチュエータ１１７を一定の速度で上下移動させる動作によって三角波形態を有する。一方、本発明によるＦＯＤ信号は、このような従来の三角波形態のフォーカスアクチュエータドライブ信号に、図４に示す正弦波の面振動データのＦＯＤを加えて出力するので、図５の下部に示されているように、面振動情報が挿入された正弦波の形態を有する。
【００５３】
このように、本発明によって、フォーカス再引き込みの時、フォーカスアクチュエータを一定の速度で上下移動させるのでなく、予めまたはそれ以前に評価した面振動情報を利用してフォーカスアクチュエータを制御するので、ディスクの面振動によって適応的にフォーカスアクチュエータを駆動することができて、フォーカス引き込みの失敗を減少させることができる。
【００５４】
図６は、本発明によるフォーカス引き込み動作のフローチャートである。図６を参照するに、フォーカス引き込み装置１００は、ディスクの面振動評価を行う(６１)。そして、行われた面振動評価情報は、次のフォーカス再引き込み時に利用するために保存部１５０に保存しておく。次に、フォーカス再引き込みのとき、フォーカス引き込み装置１００は、このように保存された面振動情報を利用してフォーカス再引き込み動作を行う。
【００５５】
これまで本発明についてその望ましい実施形態を中心に説明した。当業者ならば、本発明が本発明の本質的な特性から逸脱しない範囲で変形された形態で具現できるということを理解することができるであろう。したがって、開示された実施形態は、限定的な観点ではなく説明的な観点で考慮されなければならない。本発明の範囲は、前述した説明ではなく特許請求の範囲に現れており、それと同等な範囲内にあるあらゆる差異点は本発明に含まれていると解釈されなければならない。
【産業上の利用可能性】
【００５６】
本発明は、光記録再生装置関連の技術分野に好適に用いられる。
【図面の簡単な説明】
【００５７】
【図１】光ディスクドライブのフォーカスサーボ引き込み過程を説明するための主要信号の波形図である。
【図２】フォーカスサーボがかかる時点の主要信号及びフォーカスエラー信号の波形拡大図である。
【図３】本発明によるフォーカス引き込み装置の概略図である。
【図４】本発明のフォーカス引き込み動作に利用される評価データである。
【図５】従来方法によるＦＯＤ信号と本発明によるＦＯＤ信号とを比較した図である。
【図６】本発明によるフォーカス引き込み動作のフローチャートである。
【符号の説明】
【００５８】
１００    フォーカス引き込み装置
１００ａ  光ディスク
１１０    光ピックアップ
１１２    光源
１１４    ビームスプリッタ
１１６    対物レンズ
１１７    フォーカスアクチュエータ
１１８    光検出器
１２０    フォーカスエラー生成部
１３０    フォーカスサーボ制御部
１４０    主制御部
１５０    保存部
１６０    フォーカスドライブ
【図１】
2007115393.tif 000003
【図２】
2007115393.tif 000004
【図３】
2007115393.tif 000005
【図４】
2007115393.tif 000006
【図５】
2007115393.tif 000007
【図６】
2007115393.tif 000008